(57)【要約】【課題】装置本体と蓋体の結合面に防水構造を設けるとともに、コンパクトな形状とする携帯端末を提供する。【解決手段】携帯端末１は、内部に配置された電子部品１１２を囲むように配置された側壁１１３を有する装置本体１１と、側壁１１３の突出端１１６に防水材１１８を介在させて装置本体１１と結合される蓋体４１と、側壁１１３に設けられたコネクタ接続部と、コネクタ接続部を開閉自在とするコネクタカバー５１とを備え、コネクタカバー５１は装置本体１１側への取付用舌片１５２を備えるとともに該舌片１５２がコネクタ接続部の近傍に設けられた凹所３１に格納された携帯端末１において、凹所３１は、装置本体１１及び蓋体４１を表裏面方向に見たときに、防水材１１８の配置された位置より電子部品１１２側に入り込むように設けられていることを特徴とする。【選択図】図３
2012256969.tif 000002
【特許請求の範囲】
【請求項１】
内部に配置された電子部品を囲むように配置された側壁を有する装置本体と、
前記側壁の突出端に防水材を介在させて前記装置本体と結合される蓋体と、
前記側壁に設けられたコネクタ接続部と、
該コネクタ接続部を開閉自在とするコネクタカバーとを備え、
前記コネクタカバーは前記装置本体側への取付用舌片を備えるとともに該舌片が前記コネクタ接続部の近傍に設けられた凹所に格納された携帯端末において、
前記凹所は、前記装置本体及び前記蓋体を表裏面方向に見たときに、前記防水材の配置された位置より前記電子部品側に入り込むように設けられていることを特徴とする携帯端末。
【請求項２】
請求項１に記載の携帯端末において、
前記凹所は、前記側壁に前記防水材の配置された部分から位置をずらせた凹部を形成することにより前記電子部品側に入り込む構造とされていることを特徴とする携帯端末。
【発明の詳細な説明】
【技術分野】
【０００１】
本発明は、携帯端末に関するものである。
【背景技術】
【０００２】
一般に、携帯電話やＰＨＳといった端末装置には、外部機器と接続するためのコネクタユニット（コネクタ接続部と称する。以下同じ。）が設けられている。ここで、コネクタ接続部は端末装置の筐体の側面に設けられる場合が多く、外部機器との非接続時にはコネクタ接続部にコネクタキャップ（コネクタカバーと称する。以下同じ。）が被覆され、外部機器との接続時にコネクタカバーがコネクタ接続部より取り外され、コネクタ接続部にコネクタを接続して使用される形態が採られている（下記特許文献１）。
【０００３】
また、図９（ａ）に示すように、装置本体と蓋体との結合部分に防水材が設けられた携帯端末であって、コネクタカバーに舌片が設けられ、外部機器との非接続時にはコネクタ接続部にコネクタキャップが被覆される形態も採用されている。そして、舌片を中心にコネクタキャップを図面（紙面）に直交する方向の手前方向に１８０°に開くことにより、外部機器との接続を可能とする方法が採られている（図１参照）。
【先行技術文献】
【特許文献】
【０００４】
【特許文献１】特開２００５−２９４９３６号公報
【発明の概要】
【発明が解決しようとする課題】
【０００５】
しかしながら、特許文献１に記載の端末装置では、端末装置自体に防水構造が採用されていないために、日常生活における雨や水、汗等といった水分に対して耐水性を確保することができないという問題点があった。
【０００６】
また、図１に示す端末装置では、装置本体と蓋体との結合部分に防水材が設けられることにより耐水性は確保されている。しかし、装置本体においては、舌片の長さに相当する部分のカバー部が必要となるために、装置本体サイズが大きくなり、結果として端末装置自体を大型化せざるを得ないという問題点があった。
【０００７】
本発明は、このような事情を考慮してなされたもので、装置本体と蓋体との結合面に防水構造を設けるとともに、コンパクトな形状とする携帯端末を提供する。
【課題を解決するための手段】
【０００８】
上記目的を達成するために、本発明は以下の手段を採用している。
すなわち、本発明に係る携帯端末は、内部に配置された電子部品を囲むように配置された側壁を有する装置本体と、前記側壁の突出端に防水材を介在させて前記装置本体と結合される蓋体と、前記側壁に設けられたコネクタ接続部と、該コネクタ接続部を開閉自在とするコネクタカバーとを備え、前記コネクタカバーは前記装置本体側への取付用舌片を備えるとともに該舌片が前記コネクタ接続部の近傍に設けられた凹所に格納された携帯端末において、前記凹所は、前記装置本体及び前記蓋体を表裏面方向に見たときに、前記防水材の配置された位置より前記電子部品側に入り込むように設けられていることを特徴とする。
【０００９】
このような携帯端末では、装置本体と蓋体とは、装置本体に配置された側壁の突出端に設けられた防水材を介在させて結合されている。よって、装置本体と蓋体との結合面には防水構造が設けられている。
また、コネクタカバーに設けられた取付用舌片は、コネクタ接続部の近傍に設けられるとともに装置本体及び蓋体を表裏面方向に見たときに防水材の配置された位置より電子部品側に入り込むように設けられた凹所に、格納されている。よって、携帯端末をコンパクトな形状とすることができる。
【００１０】
また、本発明に係る携帯端末は、前記凹所は、前記側壁に前記防水材の配置された部分から位置をずらせた凹部を形成することにより前記電子部品側に入り込む構造とされていることを特徴とする。
【００１１】
このような携帯端末では、コネクタカバーに設けられた取付用舌片は、側壁に防水材の配置された部分から位置をずらせた凹部が形成された凹所に、格納されている。よって、携帯端末をコンパクトな形状とすることができる。
【発明の効果】
【００１２】
本発明に係る携帯端末によれば、装置本体と蓋体との結合面に防水構造を設けるとともに、コンパクトな形状とすることができる。
【図面の簡単な説明】
【００１３】
【図１】本発明の一実施形態に係る携帯端末のコネクタカバーを閉蓋した場合の正面図である。
【図２】本発明の一実施形態に係る携帯端末の装置本体の斜視図である。
【図３】図３のａ−ａ断面図である。
【図４】図３のｂ−ｂ断面図である。
【図５】本発明の一実施形態に係る携帯端末の上部の透視図である。
【図６】本発明の一実施形態に係る携帯端末の（ａ）装置本体の平面図、（ｂ）電子部品ユニットの平面図、（ｃ）防水材の平面図、（ｄ）蓋体の底面図である。
【図７】本発明の一実施形態に係る携帯端末のコネクタカバーの断面図である。
【図８】本発明の一実施形態に係る携帯端末のコネクタカバーを開蓋した場合の正面図である。
【図９】（ａ）既存の携帯端末の断面図、（ｂ）本発明の一実施形態に係る携帯端末と断面図である。
【発明を実施するための形態】
【００１４】
以下、本発明の一実施形態について、図面を参照して説明する。
図１に示すように、本実施形態に係る携帯端末１は、扁平形状に形成され、その表裏面間方向に見たときに略矩形に形成されており、その表面には操作部１１１が形成されている。
図２乃至図４に示すように、携帯端末１について詳細に説明すると、携帯端末１は、側壁１１３を有する装置本体１１と、側壁１１３に設けられたコネクタ接続部２１及び凹所３１と、装置本体１１と結合される蓋体４１と、コネクタ接続部２１を開閉自在とするとともに取付用舌片１５２を有するコネクタカバー５１とを備える。
ここで、装置本体１１側を表面側、蓋体４１側を裏面側と称する（以下同じ。）。
【００１５】
装置本体１１は、装置本体１１の内部に設けられた図６（ｂ）に示す電子部品ユニット１１２と、操作部１１１より裏面側に向かって立設された図２に示す側壁１１３とを備える。
操作部１１１は、表示機能及び操作機能等を有する画面を備える。
電子部品ユニット１１２は、プリント基板に携帯端末１の内部に配置された電子部品１２０を多数搭載して形成されている。
【００１６】
図２に示すように、側壁１１３は、一対の短尺側の側壁１１４と、一対の長尺側の側壁１１５とを備え、それらが電子部品ユニット１１２を囲むように略矩形に配置されている。
また、短尺側の側壁１１４及び長尺側の側壁１１５の突出端１１６には、溝１１７が裏面側に向かって連続して形成され、該溝１１７には防水パッキン等の図６（ｃ）に示す防水材１１８が挿入配置されている。
また、図６（ａ）に示すように、長尺側の側壁１１５の内側には、長手方向略中央部及び凹所３１と反対側の端部に、雌ネジが切られた第一ネジ孔１１９が裏面側に向かって設けられている。この構成において、上記第一ネジ孔１１９を利用して、蓋体４１と結合された状態で、ネジ止めすることにより、装置本体１１と蓋体４１との固定が可能となる（不図示）。
【００１７】
図２に示すように、コネクタ接続部２１は、一方の短尺側の側壁１１４に設けられ、断面視して長穴のコネクタ開口部１２１と、該コネクタ開口部１２１から電子部品ユニット１１２（不図示。以下同じ。）側に向かって形成されたコネクタ挿入部１２２とを備える。
本実施形態では、コネクタ接続部２１は短尺側の側壁１１４に設けられているが、短尺側の側壁１１４に限られず長尺側の側壁１１５に設けられていても構わない。
【００１８】
コネクタ開口部１２１は、略平面からなる一対の平面部１２３と、半円面からなる一対の曲面部１２４とを備える。
一対の平面部１２３には、それぞれ対向する方向に突出する第一突出部１２５が設けられ、一対の曲面部１２４には対向する方向に突出する第二突出部１２６が設けられている。
また、コネクタ開口部１２１の端部近傍には、裏面側に向かって突出する開口突出部１２９が設けられている。
【００１９】
コネクタ挿入部１２２には、外部機器と接続するユニット接続部１２８を有する図６（ｂ）に示すコネクタユニット１２７が、該ユニット接続部１２８をコネクタ開口部１２１側に向けて配されている。
【００２０】
図２に示すように、凹所３１は、短尺側の側壁１１４と長尺側の側壁１１５が交差する一対の角部に形成されるとともに、コネクタ接続部２１に隣接する第一凹所１３１と、もう一方の第二凹所１３２とを備える。
【００２１】
図２に示すように、第一凹所１３１は、短尺側の側壁１１４が電子部品ユニット１１２側に向かって略直角に屈曲して形成された第一屈曲側壁１３３と、長尺側の側壁１１５が電子部品ユニット１１２側に向かって略直角に屈曲して形成された第二屈曲側壁１３４により形成されている。また、第一凹所１３１では、第一屈曲側壁１３３の端部と第二屈曲側壁１３４の端部が連結されることにより、側壁１１３が略直角に形成されている。
また、第二屈曲側壁１３４の表面側には電子部品ユニット１１２側に向かって凹部１３５が形成されている。すなわち、第二屈曲側壁１３４の防水材１１８の配置された部分から電子部品ユニット１１２側に位置をずらし、電子部品ユニット１１２側に入り込んだ形状の凹部１３５が形成されている。
また、凹所３１の端部であって第一屈曲側壁１３３に隣接する位置には、裏面側に向かって突出する第三突出部１３６が設けられている。
【００２２】
蓋体４１は、略矩形の形状をなし裏面側に形成された図６（ｄ）に示す蓋体本体部１４１と、第一凹所１３１及び第二凹所１３２に嵌合される図３に示す一対の凸所１４２とを備える。
図３に示すように、蓋体本体部１４１は、側壁１１３の突出端１１６及び突出端１１６の溝１１７に設けられた防水材１１８と当接するとともに、防水材１１８を介在して装置本体１１と結合されている。
凸所１４２は、第一凹所１３１、第二凹所１３２にそれぞれ対応する形状であり、凹所３１と嵌合されるとともに、取付用舌片１５２の裏面側を包囲している。
【００２３】
図４及び図７に示すように、コネクタカバー５１は、コネクタ接続部２１のコネクタ開口部１２１を閉塞するカバー本体部１５１と、該カバー本体部１５１より電子部品ユニット１１２側に突出した取付用舌片１５２と、コネクタ開口部１２１の第一突出部１２５と係合する第一ロック係合部１５３と、コネクタ開口部１２１の第二突出部１２６と係合する第二ロック係合部１５４と、開口突出部１２９と係合する第三ロック係合部１５５とを備える。
【００２４】
図３に示すように、カバー本体部１５１は、断面視して、表面側から裏面側にかけて緩やかな円弧状に形成されている。また、コネクタカバー５１を閉蓋した状態で、装置本体１１、コネクタ開口部１２１、及び蓋体４１に当接することによりコネクタ開口部１２１付近を包囲している。
【００２５】
図７に示すように、取付用舌片１５２は、可撓性部材から形成されるとともに、カバー本体部１５１の端部であり且つ内面より略直角に突設された案内部１５６と、該案内部１５６の先端に設けられた返し部１５７とを備える。
図５に示すように、案内部１５６は、コネクタカバー５１を閉蓋した状態で、第一凹所１３１の第一屈曲側壁１３３に沿って電子部品ユニット１１２側に向かって延出している。また、図８に示すように、案内部１５６は、コネクタカバー５１を開蓋した状態では、コネクタ開口部１２１の端部方向に移動するとともに、弾性変形が可能であるので大きく湾曲してカバー本体部１５１を１８０°開蓋することを可能としている。
図７に示すように、返し部１５７は、案内部１５６の先端に設けられるとともに返し形状に形成されている。また、図５に示すように、返し部１５７は、コネクタカバー５１を閉蓋した状態で、第一凹所１３１の凹部１３５に格納され、コネクタカバー５１を開蓋した状態では、コネクタ開口部１２１の端部方向に移動するとともに、第一凹所１３１に設けられた第三突出部１３６と係合する（不図示）。
【００２６】
図７に示すように、第一ロック係合部１５３、第二ロック係合部１５４、及び第三ロック係合部１５５は、可撓性部材から形成されるとともに、カバー本体部１５１の内面より略直角に突設されている。また、コネクタカバー５１を閉蓋した状態で、第一ロック係合部１５３はコネクタ開口部１２１の第一突出部１２５と、第二ロック係合部１５４は第二突出部１２６と、第三ロック係合部１５５は開口突出部１２９と、それぞれ係合する（不図示）。また、第一ロック係合部１５３、第二ロック係合部１５４、及び第三ロック係合部１５５は、弾性変形が可能であるので、コネクタカバー５１を開蓋する際には、該係合が解除されて、コネクタカバー５１は開蓋される。
【００２７】
このような携帯端末１では、装置本体１１と蓋体４１は、装置本体１１に設けられた第一ネジ孔１１９に対して、蓋体４１よりネジ止めすることにより結合され、側壁１１３の突出端１１６と蓋体４１が当接する。ここで、突出端１１６の溝１１７には防水材１１８が挿入配置されているので、装置本体１１と蓋体４１の結合面には、防水構造が設けられている。よって、装置本体１１内部及び蓋体４１内部への浸水を確実に防止することができる。
【００２８】
また、コネクタカバー５１に設けられた取付用舌片１５２は、コネクタ接続部２１のコネクタ開口部１２１に隣接して設けられるとともに、取付用舌片１５２の返し部１５７は、コネクタカバー５１を閉蓋した状態で、第一凹所１３１の凹部１３５に格納されている。すなわち、返し部１５７は、防水材１１８の配置された第二屈曲側壁１３４より電子部品ユニット１１２側に入り込むように格納されている。よって、携帯端末１をコンパクトな形状とすることができる。また、図９からも、既存の携帯端末の構成と比較して、長尺方向のサイズを小さくできるので、携帯端末１をコンパクトな形状とすることができることが分かる。
また、図９に示すように、装置本体１１の体積を小さくすることができる。当該小さくできる部分は樹脂から成形される場合があり、この場合は、体積が減少したことで、ヒケの発生を抑えることができる。
【００２９】
また、コネクタカバー５１を閉蓋した状態で、第一ロック係合部１５３と第一突出部１２５、第二ロック係合部１５４と第二突出部１２６、第三ロック係合部１５５と開口突出部１２９が、それぞれ係合している。よって、コネクタカバー５１が不用意に開蓋してしまうことを防止することができる。
また、コネクタカバー５１を開蓋した状態では、前記係合が解除され、コネクタカバー５１に設けられた取付用舌片１５２がコネクタ開口部１２１の端部側に移動するとともに、返し部１５７が第三突出部１３６と係合している。よって、コネクタカバー５１がコネクタ開口部１２１から離脱するのを防止することができる。
さらに、取付用舌片１５２は弾性変形が可能であるので、カバー本体部１５１を１８０°開蓋することを可能としている。よって、コネクタ開口部１２１から外部機器との接続が可能である。
【００３０】
なお、上述した実施の形態において示した動作手順、あるいは各構成部材の諸形状や組み合わせ等は一例であって、本発明の主旨から逸脱しない範囲において設計要求等に基づき種々変更可能である。
【符号の説明】
【００３１】
１１…装置本体
２１…コネクタ接続部
３１…凹所
４１…蓋体
５１…コネクタカバー
１１３…側壁
１１６…突出端
１１８…防水材
１２０…電子部品
１３５…凹部
１５２…取付用舌片
【図１】
2012256969.tif 000003
【図２】
2012256969.tif 000004
【図３】
2012256969.tif 000005
【図４】
2012256969.tif 000006
【図５】
2012256969.tif 000007
【図６】
2012256969.tif 000008
【図７】
2012256969.tif 000009
【図８】
2012256969.tif 000010
【図９】
2012256969.tif 000011